(57)【要約】【課題】  印刷内容の設定の際のユーザの自由度を向上する。【解決手段】    プリンタの設定画面６０には、給紙方法の選択部６２及び用紙の種類の選択部６４が設けられ、選択部６２を介して給紙方法、例えば、トレイ１を選択する。また、用紙種類の選択部６４を介して、用紙の種類、例えば、ＯＨＰフィルムを選択する。ＯＫボタン７６がＯＮされた場合には、給紙方法の情報及び用紙種類の情報と、画像データとを含む印刷データ（特定印刷データ）を作成し、プリンタに送信する。【選択図】        図５
2006227865.tif 000002
【特許請求の範囲】
【請求項１】
被印刷媒体を収容する複数の収容手段の内の１つの収容手段と材質により区別される被印刷媒体の複数の種類の内の１つの種類とを選択する選択手段と、
前記選択された収容手段及び被印刷媒体の種類各々の情報と画像データとを含む印刷データを送信する送信手段と、
を備えた印刷データ送信装置。
【請求項２】
複数の収容手段の情報及び被印刷媒体の複数の種類の情報を表示する表示手段を更に備え、
前記選択手段は、
前記表示手段に表示された複数の収容手段の情報及び被印刷媒体の複数の種類の情報各々の中から、前記収容手段と前記被印刷媒体の種類とを選択する、
ことを特徴とする請求項１記載の印刷データ送信装置。
【請求項３】
被印刷媒体を収容する複数の収容手段と、
前記複数の収容手段の内の選択された収容手段から被印刷媒体を搬送する搬送手段と、
前記搬送手段により搬送された被印刷媒体に画像データに基く画像を形成する画像形成手段と、
前記複数の収容手段各々に収容予定の材質により区別される被印刷媒体の複数の種類各々に応じた前記搬送手段及び前記画像形成手段を制御するための制御情報を記憶する記憶手段と、
収容手段及び被印刷媒体の種類の各々の情報と画像データとを含む特定印刷データを受信する受信手段と、
前記受信手段により前記特定印刷データが受信された場合、該特定印刷データに含まれる収容手段の情報に基いて、該情報により定まる収容手段から被印刷媒体が搬送され、該特定印刷データに含まれる被印刷媒体の種類の情報に基いて、該情報に対応する前記制御情報を前記記憶手段から読み出し、該読み出した制御情報に基いて、前記搬送手段及び前記画像形成手段を制御する制御手段と、
を備えた画像形成装置。
【請求項４】
前記受信手段は、画像データを含み、収容手段及び被印刷媒体の種類の少なくとも一方の情報を含まない基準印刷データを受信し、
前記制御手段は、前記受信手段により前記基準印刷データが受信された場合には、前記基準印刷データの内容及び前記記憶手段に記憶された制御情報に基いて、前記搬送手段及び前記画像形成手段を制御する
ことを特徴とする請求項３記載の画像形成装置。
【請求項５】
前記制御手段は、前記基準印刷データが受信されかつ該基準印刷データに、収容手段及び被印刷媒体の種類の内、収容手段の情報のみが含まれた場合には、該収容手段から被印刷媒体が搬送され、前記記憶手段から収容手段の情報に対応する制御情報を読み出し、該読み出した制御情報に基いて、前記搬送手段及び前記画像形成手段を制御することを特徴とする請求項４記載の画像形成装置。
【請求項６】
前記制御手段は、前記基準印刷データが受信されかつ該基準印刷データに、収容手段及び被印刷媒体の種類の内、被印刷媒体の種類の情報のみが含まれた場合には、該情報により定まる種類の被印刷媒体を収容予定の収容手段から被印刷媒体が搬送され、前記記憶手段から該被印刷媒体の種類の情報に対応する制御情報を読み出し、該読み出した制御情報に基いて、前記搬送手段及び前記画像形成手段を制御することを特徴とする請求項４記載の画像形成装置。
【請求項７】
選択手段により、被印刷媒体を収容する複数の収容手段の内の１つの収容手段と材質により区別される被印刷媒体の複数の種類の内の１つの種類とを選択するステップと、
送信手段により、前記選択された収容手段及び被印刷媒体の種類各々の情報と画像データとを含む印刷データを送信するステップと、
を備えた印刷データ送信方法。
【請求項８】
表示手段に、複数の収容手段の情報及び被印刷媒体の複数の種類の情報を表示するステップを更に備え、
前記選択のステップでは、
前記表示手段に表示された複数の収容手段の情報及び被印刷媒体の複数の種類の情報各々の中から、前記収容手段と前記被印刷媒体の種類とを選択する、
ことを特徴とする請求項７記載の印刷データ送信方法。
【請求項９】
被印刷媒体を収容する複数の収容手段と、
前記複数の収容手段の内の選択された収容手段から被印刷媒体を搬送する搬送手段と、
前記搬送手段により搬送された被印刷媒体に画像データに基く画像を形成する画像形成手段と、
前記複数の収容手段各々に収容予定の材質により区別される被印刷媒体の複数の種類各々に応じた前記搬送手段及び前記画像形成手段を制御するための制御情報を記憶する記憶手段と、
を含む画像形成装置における画像形成方法であって、
受信手段により、収容手段及び被印刷媒体の種類の各々の情報と画像データとを含む特定印刷データを受信するステップと、
前記特定印刷データが受信された場合、該特定印刷データに含まれる収容手段の情報に基いて、該情報により定まる収容手段から被印刷媒体が搬送され、該特定印刷データに含まれる被印刷媒体の種類の情報に基いて、該情報に対応する前記制御情報を前記記憶手段から読み出し、該読み出した制御情報に基いて、制御手段により前記搬送手段及び前記画像形成手段を制御するステップと、
を備えた画像形成方法。
【請求項１０】
前記受信のステップでは、画像データを含み、収容手段及び被印刷媒体の種類の少なくとも一方の情報を含まない基準印刷データを受信し、
前記制御のステップでは、前記受信手段により前記基準印刷データが受信された場合には、前記基準印刷データの内容及び前記記憶手段に記憶された制御情報に基いて、前記搬送手段及び前記画像形成手段を制御する
ことを特徴とする請求項９記載の画像形成方法。
【請求項１１】
前記制御のステップでは、前記基準印刷データが受信されかつ該基準印刷データに、収容手段及び被印刷媒体の種類の内、収容手段の情報のみが含まれた場合には、該収容手段から被印刷媒体が搬送され、前記記憶手段から収容手段の情報に対応する制御情報を読み出し、該読み出した制御情報に基いて、前記搬送手段及び前記画像形成手段を制御することを特徴とする請求項１０記載の画像形成方法。
【請求項１２】
前記制御のステップでは、前記基準印刷データが受信されかつ該基準印刷データに、収容手段及び被印刷媒体の種類の内、被印刷媒体の種類の情報のみが含まれた場合には、該情報により定まる種類の被印刷媒体を収容予定の収容手段から被印刷媒体が搬送され、前記記憶手段から該被印刷媒体の種類の情報に対応する制御情報を読み出し、該読み出した制御情報に基いて、前記搬送手段及び前記画像形成手段を制御することを特徴とする請求項１０記載の画像形成方法。
【請求項１３】
コンピュータに以下の印刷データ送信処理を実行させる印刷データ送信プログラムであって、
前記印刷データ送信処理は、
選択手段により、被印刷媒体を収容する複数の収容手段の内の１つの収容手段と材質により区別される被印刷媒体の複数の種類の内の１つの種類とを選択するステップと、
送信手段により、前記選択された収容手段及び被印刷媒体の種類各々の情報と画像データとを含む印刷データを送信するステップと、
を備えた印刷データ送信プログラム。
【請求項１４】
表示手段に、複数の収容手段の情報及び被印刷媒体の複数の種類の情報を表示するステップを更に備え、
前記選択のステップでは、
前記表示手段に表示された複数の収容手段の情報及び被印刷媒体の複数の種類の情報各々の中から、前記収容手段と前記被印刷媒体の種類とを選択する、
ことを特徴とする請求項１３記載の印刷データ送信プログラム。
【請求項１５】
被印刷媒体を収容する複数の収容手段と、
前記複数の収容手段の内の選択された収容手段から被印刷媒体を搬送する搬送手段と、
前記搬送手段により搬送された被印刷媒体に画像データに基く画像を形成する画像形成手段と、
前記複数の収容手段各々に収容予定の材質により区別される被印刷媒体の複数の種類各々に応じた前記搬送手段及び前記画像形成手段を制御するための制御情報を記憶する記憶手段と、
を含む画像形成装置に、以下の画像形成処理を実行させる画像形成プログラムであって、
前記画像形成処理は、
受信手段により、収容手段及び被印刷媒体の種類の各々の情報と画像データとを含む特定印刷データを受信するステップと、
前記特定印刷データが受信された場合、該特定印刷データに含まれる収容手段の情報に基いて、該情報により定まる収容手段から被印刷媒体が搬送され、該特定印刷データに含まれる被印刷媒体の種類の情報に基いて、該情報に対応する前記制御情報を前記記憶手段から読み出し、該読み出した制御情報に基いて、制御手段により前記搬送手段及び前記画像形成手段を制御するステップと、
を備えた画像形成プログラム。
【請求項１６】
前記受信のステップでは、画像データを含み、収容手段及び被印刷媒体の種類の少なくとも一方の情報を含まない基準印刷データを受信し、
前記制御のステップでは、前記受信手段により前記基準印刷データが受信された場合には、前記基準印刷データの内容及び前記記憶手段に記憶された制御情報に基いて、前記搬送手段及び前記画像形成手段を制御する
ことを特徴とする請求項１５記載の画像形成プログラム。
【請求項１７】
前記制御のステップでは、前記基準印刷データが受信されかつ該基準印刷データに、収容手段及び被印刷媒体の種類の内、収容手段の情報のみが含まれた場合には、該収容手段から被印刷媒体が搬送され、前記記憶手段から収容手段の情報に対応する制御情報を読み出し、該読み出した制御情報に基いて、前記搬送手段及び前記画像形成手段を制御することを特徴とする請求項１６記載の画像形成プログラム。
【請求項１８】
前記制御のステップでは、前記基準印刷データが受信されかつ該基準印刷データに、収容手段及び被印刷媒体の種類の内、被印刷媒体の種類の情報のみが含まれた場合には、該情報により定まる種類の被印刷媒体を収容予定の収容手段から被印刷媒体が搬送され、前記記憶手段から該被印刷媒体の種類の情報に対応する制御情報を読み出し、該読み出した制御情報に基いて、前記搬送手段及び前記画像形成手段を制御することを特徴とする請求項１６記載の画像形成プログラム。
【発明の詳細な説明】
【技術分野】
【０００１】
本発明は、印刷データ送信装置、印刷データ送信方法、印刷データ送信プログラム、画像形成装置、画像形成方法、及び画像形成プログラム
にかかり、より詳細には、画像データを含む印刷データを送信する印刷データ送信装置、印刷データ送信方法、印刷データ送信プログラム、及び、複数の収容手段の内の選択された収容手段から被印刷媒体を搬送し、搬送された被印刷媒体に画像データに基く画像を形成する画像形成装置、画像形成方法、及び画像形成プログラムに関する。
【背景技術】
【０００２】
従来、プリンタは、複数のトレイを備え、複数のトレイの何れかのトレイから用紙を搬送し、搬送された用紙に画像を形成している。用紙は通常普通紙が用いられる。
【０００３】
しかしながら、普通紙以外の用紙、例えば、厚紙に画像を形成したいとユーザが考える場合もある。このような場合、手差しトレイに厚紙をセットすると共に、ユーザは、プリンタに、厚紙用の搬送、画質制御を設定する。また、従来のプリンタでは、ユーザのパソコンから、複数のトレイの何れかを指定して印刷されるように指定することができるものもある。このプリンタでは、指定されたトレィから用紙を搬送し、このトレイに収容されている予め定められた用紙の種類に応じて、用紙の搬送、画質制御を行っている。
【０００４】
更に、従来のプリンタでは、ユーザのパソコンから用紙の種類を指定することができるものもある（特許文献１参照）。このプリンタでは、指定された種類の用紙を収容しているトレイから、指定された種類の用紙を搬送し、指定された種類の用紙に対応して予め定められた搬送、画質制御を行っている。
【特許文献１】特開平３−１９２０３８号公報
【発明の開示】
【発明が解決しようとする課題】
【０００５】
以上説明したように、従来の技術では、ユーザのパソコンからプリンタに、複数のトレイの何れかを指定するか又は用紙の種類を指定するかの何れかを指定することができるにとどまり、ユーザのパソコンからトレイ及び用紙の種類双方を指定することができなかった。
【０００６】
本発明は、上記事実に鑑み成されたもので、印刷内容の設定の際のユーザの自由度を向上することの可能な印刷データ送信装置、印刷データ送信方法、印刷データ送信プログラム、及び、収容手段と被印刷媒体の種類との双方が印刷内容として設定されても対処可能な画像形成装置、画像形成方法、及び画像形成プログラムを提供することを目的とする。
【課題を解決するための手段】
【０００７】
上記目的を達成するために請求項１に記載の発明の印刷データ送信装置は、被印刷媒体を収容する複数の収容手段の内の１つの収容手段と材質により区別される被印刷媒体の複数の種類の内の１つの種類とを選択する選択手段と、前記選択された収容手段及び被印刷媒体の種類各々の情報と画像データとを含む印刷データを送信する送信手段と、を備えている。
【０００８】
即ち、選択手段は、被印刷媒体を収容する複数の収容手段の内の１つの収容手段と材質により区別される被印刷媒体の複数の種類の内の１つの種類とを選択する。
【０００９】
送信手段は、前記選択された収容手段及び被印刷媒体の種類各々の情報と画像データとを含む印刷データを送信する。
【００１０】
このように、収容手段と被印刷媒体の種類との双方を選択することができるので、印刷内容の設定の際のユーザの自由度を向上することができる。
【００１１】
なお、収容手段と被印刷媒体の種類との双方を選択する際、収容手段及び被印刷媒体の種類各々の情報をユーザが直接入力するようにしてもよいが、これでは使い勝手が悪い。
【００１２】
そこで、請求項２のように、複数の収容手段の情報及び被印刷媒体の複数の種類の情報を表示する表示手段を更に備え、前記選択手段は、前記表示手段に表示された複数の収容手段の情報及び被印刷媒体の複数の種類の情報各々の中から、前記収容手段と前記被印刷媒体の種類とを選択するようにしてもよい。
【００１３】
このように、表示手段に表示された複数の収容手段の情報及び被印刷媒体の複数の種類の情報各々の中から、収容手段と被印刷媒体の種類とを選択するので、ユーザの使い勝手をよくすることができる。
【００１４】
請求項３記載の発明の画像形成装置は、被印刷媒体を収容する複数の収容手段と、前記複数の収容手段の内の所定の収容手段から被印刷媒体を搬送する搬送手段と、前記搬送手段により搬送された被印刷媒体に画像データに基く画像を形成する画像形成手段と、前記複数の収容手段各々に対応して各収容手段に収容予定の被印刷媒体の材質により区別される複数の種類の何れかの情報と、各種類に対応して前記搬送手段及び前記画像形成手段を制御するための制御情報と、を記憶する記憶手段と、収容手段及び被印刷媒体の種類の各々の情報と画像データとを含む特定印刷データを受信する受信手段と、前記受信手段により前記特定印刷データが受信された場合、該特定印刷データに含まれる収容手段の情報に基いて、該情報により定まる収容手段から被印刷媒体が搬送されると共に、該特定印刷データに含まれる被印刷媒体の種類の情報に基いて、該情報に対応する前記制御情報を前記記憶手段から読み出し、該読み出した制御情報に基いて、前記搬送手段及び前記画像形成手段を制御する制御手段と、を備えている。
【００１５】
即ち、本発明の画像形成装置は、被印刷媒体を収容する複数の収容手段を備え、搬送手段は、複数の収容手段の内の所定の収容手段から被印刷媒体を搬送し、画像形成手段は、前記搬送手段により搬送された被印刷媒体に画像データに基く画像を形成する。
【００１６】
記憶手段は、前記複数の収容手段各々に対応して各収容手段に収容予定の被印刷媒体の材質により区別される複数の種類の何れかの情報と、各種類に対応して前記搬送手段及び前記画像形成手段を制御するための制御情報と、を記憶する。
【００１７】
受信手段は、収容手段及び被印刷媒体の種類の各々の情報と画像データとを含む特定印刷データを受信する。
【００１８】
そして、制御手段は、前記受信手段により前記特定印刷データが受信された場合、該特定印刷データに含まれる収容手段の情報に基いて、該情報により定まる収容手段から被印刷媒体が搬送されると共に、該特定印刷データに含まれる被印刷媒体の種類の情報に基いて、該情報に対応する前記制御情報を前記記憶手段から読み出し、該読み出した制御情報に基いて、前記搬送手段及び前記画像形成手段を制御する。
【００１９】
よって、上記のように収容手段から被印刷媒体を搬送する際に、上記読み出した制御情報に基いて搬送手段を制御することにより被印刷媒体の種類に応じた好ましい搬送処理を実行し、印刷データに含まれる画像データに基く画像を被印刷媒体に形成する際も、被印刷媒体の種類に応じた好ましい画像形成処理を実行することができる。
【００２０】
このように、収容手段及び被印刷媒体の種類の各々の情報と画像データとを含む特定印刷データを受信した場合、該特定印刷データに含まれる収容手段の情報に基いて定まる収容手段から被印刷媒体を搬送し、該特定印刷データに含まれる被印刷媒体の種類の情報に対応する制御情報を記憶手段から読み出し、搬送手段及び画像形成手段を制御するので、収容手段と被印刷媒体の種類との双方が印刷内容として設定されても対処することができる。
【００２１】
ところで、印刷内容の設定としては必ずしも、収容手段及び被印刷媒体の種類の各々を指定する場合に限定されない。収容手段及び被印刷媒体の種類の少なくとも一方を指定しない場合もある。このような場合、印刷データ送信装置からは、画像データを含み、収容手段及び被印刷媒体の種類の少なくとも一方の情報を含まない基準印刷データを送信する。
【００２２】
このように印刷データ送信装置から基準印刷データが送信された場合、画像形成装置では、請求項４のように、前記受信手段は、画像データを含み、収容手段及び被印刷媒体の種類の少なくとも一方の情報を含まない基準印刷データを受信し、前記制御手段は、前記受信手段により前記基準印刷データが受信された場合には、前記基準印刷データの内容及び前記記憶手段に記憶された制御情報に基いて、前記搬送手段及び前記画像形成手段を制御する。
【００２３】
ここで、基準印刷データの種類としては、第１に、収容手段及び被印刷媒体の種類の内、収容手段の情報のみが含まれるもの、第２に、収容手段及び被印刷媒体の種類の内、被印刷媒体の種類の情報のみが含まれるもの、第３に、収容手段及び被印刷媒体の種類の双方情報とも含まれないものがある。
【００２４】
上記第１の例の場合、即ち、前記基準印刷データが受信されかつ該基準印刷データに、収容手段及び被印刷媒体の種類の内、収容手段の情報のみが含まれた場合には、請求項５のように、前記制御手段は、該収容手段から被印刷媒体が搬送され、前記記憶手段から収容手段の情報に対応する制御情報を読み出し、該読み出した制御情報に基いて、前記搬送手段及び前記画像形成手段を制御する。
【００２５】
上記第２の例の場合、即ち、前記基準印刷データが受信されかつ該基準印刷データに、収容手段及び被印刷媒体の種類の内、被印刷媒体の種類の情報のみが含まれた場合には、請求項６のように、前記制御手段は、該情報により定まる種類の被印刷媒体を収容予定の収容手段から被印刷媒体が搬送され、前記記憶手段から該被印刷媒体の種類の情報に対応する制御情報を読み出し、該読み出した制御情報に基いて、前記搬送手段及び前記画像形成手段を制御する。
【００２６】
上記第３の場合、即ち、前記基準印刷データに収容手段及び被印刷媒体の種類の双方情報とも含まれない場合には、予め定められた収容手段から被印刷媒体が搬送され、該収容手段に収容予定の被印刷媒体の種類の情報に対応する制御情報に基いて、前記搬送手段及び前記画像形成手段を制御する。
【００２７】
以上のように、収容手段及び被印刷媒体の種類の各々を指定する特定印刷データを受信する場合（第１のモード）と、収容手段及び被印刷媒体の種類の少なくとも一方を指定しない基準印刷データを受信する場合（第２のモード）とにおいて、それぞれに対応する処理を自動的に実行する。
【００２８】
従って、例えば、第１のモードが比較的特殊な場合とすると、通常は第２のモードにしておき、第１のモードが指定し終了した場合に第２のモードに、ユーザが戻す必要がない。よって、ユーザの使い勝手を更に向上することができる。
【００２９】
なお、請求項７〜１２の発明、請求項１３〜１８の発明はそれぞれ、請求項１〜６の発明と同様な作用、効果を奏するので、その説明を省略する。
【発明の効果】
【００３０】
以上説明したように本発明によれば、収容手段と被印刷媒体の種類との双方を選択することができるので、印刷内容の設定の際のユーザの自由度を向上することができる。
【００３１】
また、本発明は、収容手段及び被印刷媒体の種類の各々の情報と画像データとを含む特定印刷データを受信した場合、該特定印刷データに含まれる収容手段の情報に基いて定まる収容手段から被印刷媒体を搬送し、該特定印刷データに含まれる被印刷媒体の種類の情報に対応する制御情報を記憶手段から読み出し、搬送手段及び画像形成手段を制御するので、収容手段と被印刷媒体の種類との双方が印刷内容として設定されても対処することができる。
【００３２】
更に、収容手段及び被印刷媒体の種類の各々を指定する特定印刷データを受信する場合（第１のモード）と、収容手段及び被印刷媒体の種類の少なくとも一方を指定しない基準印刷データを受信する場合（第２のモード）とにおいて、それぞれに対応する処理を自動的に実行するので、例えば、第１のモードが比較的特殊な場合とすると、通常は第２のモードにしておき、第１のモードが指定し終了した場合に第２のモードに、ユーザが戻す必要がない。よって、ユーザの使い勝手を更に向上することができる。
【発明を実施するための最良の形態】
【００３３】
以下、図面を参照して本発明の実施の形態の一例を詳細に説明する。
【００３４】
図１に示すように、画像形成装置としてのプリンタ１０には、ネットワーク１１を介して、印刷データ送信装置としての複数のクライアント１２、１４…が接続されている。
【００３５】
クライアント１２（その他のクライアント１４…も同様に）は、図２に示すように、ＣＰＵ２２、ＲＯＭ２４、ＲＡＭ２６、表示手段としての表示装置２８、選択手段としての入力装置（キーボードやマウス）３０、ネットワーク１１に接続されたインターフェース（Ｉ／Ｆ）３２が、バス３４を介して相互に接続されて構成されている。なお、ＣＰＵ２２及びインターフェース３２により送信手段が構成される。
【００３６】
図３に示すように、プリンタ１０は、被印刷媒体を収容する複数（本実施の形態では４つ）の収容手段としてのトレイ１〜４を備えている。トレイ１〜４には、搬送手段としてのモータやガイド等の用紙搬送機構２１が設けられている。用紙搬送機構２１は、用紙搬送制御部２３に接続されている。また、プリンタ１０は、トレイ１〜４の何れかに収容された被印刷媒体が用紙搬送機構２１により搬送され、搬送された被印刷媒体に画像を形成する画像形成部２５を備えている。画像形成部２５の構成は特に１つの形式に限定されるものではない。即ち、画像形成部２５は、第１に、インクを用いて画像形成する場合や、第２に、感光ドラムに形成された静電潜像をトナーで現像し、これを転写して画像形成する場合等、種々適用可能である。
【００３７】
更に、プリンタ１０は、トレイ１〜４各々に対応して、各トレイに収容予定の被印刷媒体の材質により区別される複数の種類の何れかの情報と、各種類の情報に対応して、用紙搬送機構２１及び画像形成部２５を制御するための制御情報とを記憶する記憶手段としての記憶装置（メモリ（ＨＤ等））３１を備えている。また、クライアント１２は、印刷データを受信する受信手段としての、ネットワーク１１に接続されたインターフェース２７を備えている。そして、プリンタ１０は、以上説明した各部を制御する制御部２９を備えている。
【００３８】
次に、本実施の形態の作用を説明する。
【００３９】
まず、図４を参照して、クライアント１２（その他のクライアント１４…も同様）からプリンタ１０に印刷データを送信する印刷データ送信プログラム（印刷データ送信方法）を説明する。
【００４０】
例えば、クライアント１２において、文書作成プログラムに従って文書を作成し、作成された文書データ（画像データ）に基づいて画像を形成するために、プリンタドライバが起動されると、本プログラムがスタートし、ステップ３８で、図５に示すように、表示装置２８の画面にプリンタの設定画面６０を表示する。
【００４１】
図５に示すように、プリンタの設定画面６０は、給紙方法を選択するための選択部６２と、用紙種類を選択するための選択部６４と、を備えている。その他、プリンタの設定画面６０には、用紙サイズを選択するための選択部や、ＯＫボタン７６、キャンセルボタン７８が設けられている。
【００４２】
ステップ４０で、給紙方法が選択されたか否かを判断し、給紙方法が選択されなかったと判断された場合には、ステップ４２で、用紙の種類が選択されたか否かを判断する。用紙の種類が選択されていないと判断された場合には、ステップ４４で、その他の処理が選択されたか否かを判断し、ステップ４４で、その他の
処理が選択されなかったと判断された場合には、ステップ４６で、ＯＫボタン７６がＯＮされたか否かを判断する。ＯＫボタンがＯＮされていないと判断された場合には、ステップ４０に戻る。
【００４３】
例えば、給紙方法の選択部６２がクリックされた場合には、図６に示すように、給紙方法の種類を一覧表示７２する。そして、例えば、トレイ１が選択された場合には、ステップ４０が肯定判定され、ステップ４８で、選択された給紙方法を設定する。即ち、例えば、図７に示すように、選択部６２に、「トレイ１」を表示する。
【００４４】
また、用紙種類の選択部６４がクリックされた場合には、図８に示すように、用紙の種類を一覧表示７４する。そして、例えば、ＯＨＰフィルムが選択された場合には、ステップ４２が肯定判定され、ステップ５０で、選択された用紙の種類を設定する。即ち、図９に示すように選択部６４にＯＨＰフィルムの情報を表示する。
【００４５】
なお、サイズが選択されたり、印刷の向き等が選択されると、ステップ４４が肯定判定され、ステップ５２で、その他の処理（サイズや用紙向きの設定等）を実行する。
【００４６】
そして、ＯＫボタン７６がＯＮされた場合には、印刷データを作成し、作成した印刷データをプリンタ１０に送信する。即ち、上記のように、給紙方法及び用紙の種類が選択された場合には、給紙方法の情報及び用紙種類の情報と、画像データとを含む印刷データ（特定印刷データ）を作成し、プリンタ１０に送信する。
【００４７】
一方、給紙方法のみが選択された場合には、給紙方法の情報と画像データとを含む印刷データ（基準印刷データ）をプリンタ１０に送信する。また、用紙種類のみが選択された場合には、用紙種類の情報と画像データとを含む印刷データ（基準印刷データ）をプリンタ１０に送信する。
【００４８】
以上説明したように、給紙方法と用紙の種類との双方を選択することができるので、印刷内容の設定の際のユーザの自由度を向上することができる。
【００４９】
図１０には、クライアント１２から送信された印刷データをプリンタ１０が受信した場合にスタートする画像形成プログラム（画像形成方法）のフローチャートが示されている。
【００５０】
本プログラムがスタートすると、ステップ１０２で、一次強制指定モードであるか否かを判断する。即ち、給紙方法及び用紙の種類の各々の情報を含む特定印刷データを受信した場合には、ステップ１０２が肯定判定される。これにより、一次強制指定モード（第１のモード）が設定（後述ステップ１０４の処理が実行）される。
【００５１】
一方、印刷データに給紙方法及び用紙種類の少なくとも何れかの情報が含まれていない場合には、ステップ１０２が否定判定され、基準モード（第２のモード）が設定され、ステップ１０６〜１１６の処理が実行される。即ち、ステップ１０６で、トレイ即ち給紙方法のみが選択されたか否かを判断する。トレイが選択されていないと判断された場合には、ステップ１１０で用紙の種類のみが選択されているか否かを判断する。なお、用紙の種類が選択されていない場合にはトレイも用紙種類も選択されていない。
【００５２】
上記ステップ１０２が肯定判定された場合（特定印刷データを交信した場合）には、ステップ１０４で、特定印刷データにおいて選択されたトレイから用紙を引き出し、引き出した用紙を、搬送する際の搬送制御と、搬送した用紙に画像データに基づく画像を形成する際の同様に選択された用紙種類に対応する画質制御のため制御情報を記憶装置３１から読み出し、読み出した制御情報に基づいて、用紙搬送制御部２３及び画像形成部２５を制御する。
【００５３】
上記ステップ１０６が肯定判定された場合には、この場合には用紙種類は指定されていない。この場合には、ステップ１０８で、選択されたトレイから引き出された用紙に、トレイに対応して予め定められた制御情報（予め定められた種類に対応する）で用紙搬送制御部２３及び画像形成部２５を制御する。
【００５４】
ステップ１１０が肯定判定された場合には、ステップ１１２で、選択された種類からトレイを自動的に選択し、ステップ１１４で、選択されたトレイから引き出された用紙に、選択された種類に対応する制御情報で用紙搬送制御部２３及び画像形成部２５を制御する。
【００５５】
なお、ステップ１１０が否定判定された場合には、給紙方法も用紙種類も選択されていない。この場合には、ステップ１１６で、プリンタの初期設定に従って用紙搬送制御部２３及び画像形成部２５を制御する。
【００５６】
以上説明したように、本実施の形態では、給紙方法及び用紙の種類の各々の情報と画像データとを含む特定印刷データを受信した場合、該特定印刷データに含まれる給紙方法の情報に基いて定まるトレイから用紙を搬送し、該特定印刷データに含まれる用紙の種類の情報に対応する制御情報を読み出し、用紙の搬送制御及び画像形成制御を実行するので、給紙方法と用紙の種類との双方が印刷内容として設定されても対処することができる。
【００５７】
また、前述した実施の形態では、給紙方法及び用紙の種類の各々を指定する特定印刷データを受信する場合（第１のモード）と、給紙方法及び用紙の種類の少なくとも一方を指定しない基準印刷データを受信する場合（第２のモード）とにおいて、それぞれに対応する処理を自動的に実行するので、例えば、第１のモードが比較的特殊な場合とすると、通常は第２のモードにしておき、第１のモードが指定し終了した場合に第２のモードに、ユーザが戻す必要がない。よって、ユーザの使い勝手を更に向上することができる。
【図面の簡単な説明】
【００５８】
【図１】プリンタとクライアントを備えたネットワークシステムを示すブロック図である。
【図２】クライアントのブロック図である。
【図３】プリンタのブロック図である。
【図４】クライアントにより実行される印刷データ送信プログラムを示したフローチャートである。
【図５】プリンタの設定画面を示す図である。
【図６】プリンタの設定画面において給紙方法の選択部がクリックされた時に給紙方法を一覧表示する様子を示す図である。
【図７】給紙方法としてトレイ１が選択されたことを示す図である。
【図８】用紙種類の選択部がクリックされた場合に用紙の種類を一覧表示した様子を示す図である。
【図９】用紙種類としてＯＨＰフィルムが選択された様子を示す図である。
【図１０】プリンタ（制御部）により実行される印刷画像形成プログラムのフローチャートである。
【符号の説明】
【００５９】
１０  プリンタ
１２、１４  クライアント
２８  表示装置（表示手段）
３０  入力装置（選択手段）
２２  ＣＰＵ（送信手段）
３２  Ｉ／Ｅ（送信手段）
２１  用紙搬送機構（搬送手段）
２５  画像形成部（画像形成手段）
２７  Ｉ／Ｆ（受信手段）
２９  制御部（制御手段）
３１  記憶装置（記憶手段）
【図１】
2006227865.tif 000003
【図２】
2006227865.tif 000004
【図３】
2006227865.tif 000005
【図４】
2006227865.tif 000006
【図５】
2006227865.tif 000007
【図６】
2006227865.tif 000008
【図７】
2006227865.tif 000009
【図８】
2006227865.tif 000010
【図９】
2006227865.tif 000011
【図１０】
2006227865.tif 000012